(57)【要約】【課題】集合排気管下部のトラップ部の乾燥等による封水切れを防いで、各住宅への臭気の逆流を確実に防止することができ、また集合排気管の内面を清浄に保つことのできる集合住宅の排気設備を提供する。【解決手段】各住宅１４からの排気を集合して排出する排気専用の共用の集合排気管２２を建物各階に亘るように上下に縦配管して集合排気管２２の上部を大気に開放し、その開放部２３を通じて排気を外部に排出するようになした集合住宅１０の排気設備において、集合排気管２２の下部を封水保持して逆流防止するトラップ部２４を介して下水管１８に接続するとともに、トラップ部２４に対して封水用の水を供給する給水部４０を集合排気管２２に設けておく。【選択図】        図１
2007315650.tif 000002
【特許請求の範囲】
【請求項１】
各住宅からの排気を集合して排出する排気専用の共用の集合排気管を建物各階に亘るように上下に縦配管して該集合排気管の上部を大気に開放し、その開放部を通じて排気を外部に排出するようになした集合住宅の排気設備において、
前記集合排気管の下部を、封水保持して臭気の逆流を防止するトラップ部を介して下水管又は雨水管に接続するとともに、該トラップ部に対して封水用の水を供給する給水部を該集合排気管に設けたことを特徴とする集合住宅の排気設備。
【請求項２】
請求項１において、前記住宅からの排気の中に送風式に排気を行う生ごみ処理機からの排気が含まれていることを特徴とする集合住宅の排気設備。
【請求項３】
請求項１，２の何れかにおいて、前記給水部は上水を自動給水するものであることを特徴とする集合住宅の排気設備。
【請求項４】
請求項３において、前記給水部は前記上水を定期的に給水するものであることを特徴とする集合住宅の排気設備。
【請求項５】
請求項１，２の何れかにおいて、前記給水部は雨水を取り入れて前記トラップ部に向けて給水するものであることを特徴とする集合住宅の排気設備。
【発明の詳細な説明】
【技術分野】
【０００１】
この発明は集合住宅の排気設備に関する。
【背景技術】
【０００２】
従来集合住宅の排気方式として、図５に示しているように各住宅ごとに設けた天井換気扇２００及び横引きの屋内配管２０２を通じて、各住宅の排気を共用の廊下２０４等の屋外に直接排出することが一般的に行われている。
しかしながらこの場合、共用スペースである廊下の通行者に排気がかかり、不快感を与えてしまう。
一方、各住宅からの排気を屋内排気管を通じて縦配管した共用の集合排水管に排出することも考えられるが、このようになした場合、特に住宅からの排気を送風機等にて強制排気した場合には、排水管内の圧力が高くなって排水性能を悪化させてしまう恐れが生ずる。
【０００３】
集合住宅における排気設備としては、その他に、各住宅からの排気を集合して排出する排気専用の共用の集合排気管を建物各階に亘るように上下に縦配管して集合排気管の上部を大気に開放し、その開放部を通じて各住宅からの排気を外部に排出するようになしたものが下記特許文献１に開示されている。
この特許文献１に開示のものではまた、集合排気管の下部を、封水保持して臭気の逆流を防止するトラップ部を介して下水管に接続するようになしている。
【０００４】
この特許文献１に開示のものでは、排気中に含まれている水蒸気が集合排気管内で結露を生じた場合においても、その結露水を下水管側に流すことができるとともに、トラップ部によって下水管からの臭気が集合排気管を通じて各住宅内に逆流するのを防止することができる。
或いはまた、下水管を通じてゴキブリ等の衛生害虫が集合排気管を通じて住宅内空間に侵入するのをトラップ部によって良好に阻止することができる。
また集合排水管に対して各住宅からの排気を排出するものでないため、集合排水管を通じての排水性能を悪化させてしまう恐れも有しない。
【０００５】
一方でこの特許文献１に開示のものでは、トラップ部に保持されている封水が蒸発等により少なくなったり或いは消失してしまう恐れがあり、この場合下水管からの臭気の逆流を生じ、各住宅内に臭気が侵入してしまう問題がある。
【０００６】
【特許文献１】特開２０００−２９６３８８号公報
【発明の開示】
【発明が解決しようとする課題】
【０００７】
本発明は以上のような事情を背景とし、集合排気管下部のトラップ部の乾燥等による封水切れを防いで、各住宅への臭気の逆流や害虫の侵入を確実に防止することができ、また集合排気管の内面を清浄に保つことのできる集合住宅の排気設備を提供することを目的としてなされたものである。
【課題を解決するための手段】
【０００８】
而して請求項１のものは、各住宅からの排気を集合して排出する排気専用の共用の集合排気管を建物各階に亘るように上下に縦配管して該集合排気管の上部を大気に開放し、その開放部を通じて排気を外部に排出するようになした集合住宅の排気設備において、前記集合排気管の下部を、封水保持して臭気の逆流を防止するトラップ部を介して下水管又は雨水管に接続するとともに、該トラップ部に対して封水用の水を供給する給水部を該集合排気管に設けたことを特徴とする。
【０００９】
請求項２のものは、請求項１において、前記住宅からの排気の中に送風式に排気を行う生ごみ処理機からの排気が含まれていることを特徴とする。
【００１０】
請求項３のものは、請求項１，２の何れかにおいて、前記給水部は上水を自動給水するものであることを特徴とする。
【００１１】
請求項４のものは、請求項３において、前記給水部は前記上水を定期的に給水するものであることを特徴とする。
【００１２】
請求項５のものは、請求項１，２の何れかにおいて、前記給水部は雨水を取り入れて前記トラップ部に向けて給水するものであることを特徴とする。
【発明の作用・効果】
【００１３】
以上のように本発明は、集合住宅の排気設備における集合排気管の下部を封水保持したトラップ部を介して下水管又は雨水管に接続するとともに、そのトラップ部に対して封水用の水を供給する給水部を集合排気管に設けたものである。
かかる本発明によれば、給水部からの給水によってトラップ部における封水切れを防ぐことができ、従って封水切れが生じることによって下水管或いは雨水管等からの臭気の逆流や衛生害虫が集合排気管を通じて各住宅内に侵入するのを確実に防止することができる。
【００１４】
また給水部から集合排気管に給水を行うことで、同時に集合排気管の内面を洗浄することができ、集合排気管の内面を清浄に保持することができる。
尚このような給水部からの給水によるほか、上部の大気への開放部を通じて集合排気管の内部に洗浄水を供給し、集合排気管の内面を洗浄するようになすこともできる。
ここで給水部は、最上階の住宅からの集合排気管への排気の導入口よりも上側において集合排気管に給水を行うものとなしておくことが望ましい。
【００１５】
本発明の排気設備は、住宅からの排気の中に送風式に排気を行う生ごみ処理機からの排気が含まれている場合の排気設備として好適なものである（請求項２）。
本発明の排気設備では、集合排水管とは別に独立して排気専用の集合排気管を設けて、この集合排気管に各住宅からの排気を導き、それら全体を集合排気管を通じて外部に排出するようになしているため、集合排水管に各住宅からの排気を排出する場合と異なって、例えば生ごみ処理機からの排気が送風式に強制排気された場合においても排水性能が悪化するといった問題は何ら生じない。
【００１６】
本発明において、上記給水部は上水を自動給水するものとなしておくことができる（請求項３）。
この請求項３によれば、トラップ部に対して自動的に給水を行うことができるため、トラップ部の封水切れをより確実に防止することができ、また封水切れ防止のための管理業務も簡略化する。
【００１７】
この場合において、その給水部は上水を定期的に給水するものとなしておくことができる（請求項４）。
【００１８】
一方請求項５は、給水部を、雨水を取り入れてトラップ部に向けて給水するものとなしたもので、この請求項５によれば、雨天時に自動的にトラップ部に封水のための水を供給することができ、設備の構造をより簡略化でき、更にまた封水保持のための管理業務が簡略化するとともに、設備のランニングコストを安価となすことができる。
【発明を実施するための最良の形態】
【００１９】
次に本発明の実施形態を図面に基づいて詳しく説明する。
図１において１０は集合住宅で、１２は各住宅１４からの排水を集合して排出する共用の集合排水管で、建物各階にまたがるように上下に縦配管されている。
集合排水管１２は、その下部が横引きの配管１６を介して下水管（又は雨水管。以下下水管を代表とする）１８に接続されている。尚、横引きの配管１６もまた下水管１８の一部となる。
一方この集合排水管１２は、その上部が一部横向きに延びてその先端が大気への開放口２０とされている。
【００２０】
２２は各住宅１４からの排気を集合して排出する排気専用の共用の集合排気管で、建物各階にまたがるように上下に縦配管され、その下端が配管１６を介して下水管１８に接続されている。
集合排気管２２は、その上部が一部所定の勾配で横向きに延び、その先端（上端）が大気への開放口（開放部）２３とされている。
【００２１】
この集合排気管２２の下部は、図２（ロ）に示しているように封水Ｈを保持して下水管１８からの臭気の逆流を防止するトラップ部２４とされている。
このトラップ部２４はまた、下水管１８からゴキブリ等の衛生害虫が各住宅１４内に侵入するのを防止する働きも有する。
尚トラップ部２４は、最下階の住宅１４の床よりも下側の位置において集合排気管２２に設けられている。
【００２２】
２５は、各階の住宅１４のトイレ２６やキッチンに設置された生ごみ処理機２８等からの臭気や水蒸気等を含んだ排気を集合排気管２２に導くための接続管で、それぞれ下向き勾配で集合排気管２２に接続されている。
ここで生ごみ処理機２８は送風式に排気を行うものとされている。
尚３０は天井換気扇（送風機）で、３２は逆流防止弁である。
【００２３】
本実施形態では、接続管２５が下向き勾配で集合排気管２２に接続されていることから、接続管２５で結露した場合、その結露水を確実に集合排気管２２へと排出することができるとともに、各住宅１４からの排気による結露水が自室内に浸入するのを防止することができる。
また逆流防止弁３２が設けられていることによって、例えば屋外で強風が吹いたときや、各住宅１４からの排気が行われた場合においても、それらが自室内に逆流して来るのを有効に防止することができる。
３４は各住宅１４のキッチンシンクその他の排水源３６からの排水を共用の集合排水管１２に導く排水用の接続管で、それぞれ集合排水管１２に対し下向き勾配で接続されている。
【００２４】
集合排気管２２には、その上端である大気への開放口２３の近傍位置に給水部４０が設けられている。
この給水部４０は、給水機構４２と給水管４４とを備えて構成されている。
この給水部４０は、トラップ部２４の封水切れを防止すべく集合排気管２２に上水を給水するもので、図２（イ）に示しているように給水管４４上に設けた開閉バルブ４６と、設定した所定時間間隔で開閉バルブ４６を開及び閉動作させるためのタイマー４８とが給水機構４２に備えられている。
この実施形態では、例えば一日ごとに１００ｃｃの給水を行うようにタイマー４８及び開閉バルブ４６の開時間が設定されている。
尚、タイマー４８若しくはタイマー監視装置を管理室に設けておき、その管理室でこれを監視するようになしても良い。
【００２５】
図２（イ）に示しているように給水管４４はその下端が、集合排気管２２内部に万一水が溜まってしまった場合の溢れ縁となる開放口２３よりも所定距離Ａ（ここではＡ＝２５ｍｍ）だけ高い位置に位置させられており、これによって給水管４４と集合排気管２２とが縁切りされている。
【００２６】
尚上下に縦配管された集合排水管１２及び集合排気管２２のそれぞれは、各階のコンクリート床を貫通する部分に、火災時に閉弁して管路を遮断する防火ダンパが設けられている。
【００２７】
本実施形態では、各住宅１４のトイレ２６や生ごみ処理機２８その他からの排気が接続管２５を通じて集合排気管２２へと導かれ、そして集合排気管２２を通じてその上端の開放口２３から外部へと共通に排出される。
【００２８】
以上のような本実施形態によれば、給水部４０からの給水によってトラップ部２４における封水切れを防ぐことができ、従って封水切れが生じることによって下水管１８からの臭気の逆流や、衛生害虫が集合排気管２２を通じて各住宅１４内に侵入するのを確実に防止することができる。
また給水部４０から集合排気管２２に給水を行うことで、同時に集合排気管２２の内面を洗浄することができ、集合排気管２２の内面を清浄に保持することができる。
【００２９】
本実施形態の排気設備では、集合排水管１２とは別に独立して排気専用の集合排気管２２を設けて、この集合排気管２２に各住宅１４からの排気を導き、それら全体を集合排気管２２を通じて外部に排出するようになしているため、集合排水管１２に各住宅１４からの排気を排出する場合と異なって、例えば生ごみ処理機２８からの排気が送風式に強制排気された場合においても排水性能が悪化するといった問題は生じない。
【００３０】
また本実施形態によれば、トラップ部２４に対して自動的に給水を行うことができるため、トラップ部２４の封水切れをより確実に防止することができ、また封水切れ防止のための管理業務も簡略化する。
【００３１】
本実施形態ではまた、各住宅１４からの排気が集合排気管２２の上端の開放口２３から外部へと排出されるため、即ち居住空間外へと排出されるため、例えば各住宅１４からの排気を共用の廊下に向けて屋外に排出する場合に比べて廊下通行者等の居住者に対し不快感を与えることが無い。
また集合排気管２２を通じて各住宅１４からの排気を共通に排気するため、その集合排気管２２を洗浄するだけで良く、しかもその洗浄は給水部４０から給水を行うことで自動的に行うことができ、洗浄作業も容易である。
尚上端の開放口２３から給水を行って、集合排気管２２を洗浄するようになすことも可能である。
【００３２】
図３（Ａ）は本発明の他の実施形態を示している。
この実施形態は、集合排気管２２から雨水取入管５０を屋上空間５２へと突き出させて給水部４０を構成した例である。
この給水部４０は、雨天時に雨水を雨水取入口５４から取り入れて集合排気管２２の下部のトラップ部２４に対し給水する。
【００３３】
雨水取入口５４には、ごみ等が雨水取入管５０内部に入らないようにメッシュ（フィルタ）５６が設けてある。
ここではメッシュ５６がごみ等で目詰まりしないように或いはメッシュ５６全体がごみ等で塞がれてしまわないように、メッシュ５６の形状が円錐台形状に形成されている。
尚円錐台形状の上面はメッシュとしておいても良いし、或いはメッシュとしておかなくても良い。
ここで雨水取入管５０は、大雨のときでも集合排気管２２が満流とならないように集合排気管２２よりも細径管とされている。
【００３４】
図３（Ｂ）は更に他の実施形態を示したもので、この例は集合排気管２２の大気への開放口２３を雨水取入口５４と成し、これを以って給水部４０を構成した例である。
ここで大気への開放口２３を兼用した雨水取入口５４は、同図の部分拡大図に示しているように底部を建物の外壁面５８より若干突き出させて、雨水取入口５４自体を斜め上向きの傾斜形状となし、雨水を取り入れ易いようにしてある。
【００３５】
この例においても、雨水取入口５４にはメッシュ（フィルタ）５６が設けてある。
但しこの例ではメッシュ５６は、図３（Ａ）に示す円錐台形状とは異なっており、集合排気管２２の軸心方向に一定寸法で平面円形状をなす形状に構成してある。
この図３（Ｂ）の例では、大雨のときでも過剰の雨水が集合排気管２２へと入らない利点がある。
【００３６】
図３（Ａ）及び（Ｂ）に示す実施形態によれば、雨水取入口５４から取り入れた雨水をトラップ部２４に向けて給水するものとなしてあるため、雨天時に自動的に封水のための水をトラップ部２４に供給することができ、設備の構造がより簡略化でき、更にまた封水保持のための管理業務が簡略化するとともに、設備のランニングコストを安価となすことができる。
【００３７】
本発明は、集合排気管の下部をトラップ部を介して下水管又は雨水管に接続するものであるが、図４の比較例に示すように集合排気管２２Ａに給水部４０を設けず、その下端を大気への開放口６０Ａとなしておいても良い。
この図４の例では、各住宅１４Ａからの排気は集合排気管２２Ａを通じて上，下の開放口２３Ａ及び６０Ａから建物外部へと排出される。
この場合においても建物上部若しくは下部からの、通常の居住空間外への排気となるため、居住者に対し不快感を与えることは無い。
【００３８】
以上本発明の実施形態を詳述したがこれらはあくまで一例示であり、本発明はその趣旨を逸脱しない範囲において種々変更を加えた形態で構成可能である。
【図面の簡単な説明】
【００３９】
【図１】本発明の一実施形態である集合住宅の排気設備を示す図である。
【図２】図１の要部を拡大して示す図である。
【図３】本発明の他の実施形態を示す図である。
【図４】本発明の比較例を示す比較例図である。
【図５】従来の集合住宅の排気設備の一例を示す図である。
【符号の説明】
【００４０】
１０  集合住宅
１４  住宅
１８  下水管
２２  集合排気管
２３  開放口（開放部）
２４  トラップ部
２８  生ごみ処理機
４０  給水部
４６  開閉バルブ
４８  タイマー
５０  雨水取入管
５４  雨水取入口
【図１】
2007315650.tif 000003
【図２】
2007315650.tif 000004
【図３】
2007315650.tif 000005
【図４】
2007315650.tif 000006
【図５】
2007315650.tif 000007